(57)【要約】【課題】文字データが長い場合でも容易に識別できるように表示させる機能を備えた電子装置を提供する。【解決手段】データに基づいて、予め設定した表示領域に文字を表示させる表示手段と、表示すべき文字列の文字数が前記表示領域の文字表示可能数を越えるときに、当該文字列で示す内容が確認できるように該表示領域に表示する文字列の表示状態を変更する表示変更手段とを備えた電子装置である。本装置によると、表示領域の表示可能数を越えるような文字列を表示しようとするときに、表示変更手段は表示内容がより確認し易い形態に変更して表示領域に表示するので、ユーザはその文字列で示す内容を容易に確認できるようになる。【選択図】        図２
2004341074.tif 000002
【特許請求の範囲】
【請求項１】
データに基づいて、予め設定した表示領域に文字を表示させる制御手段と、
表示すべき文字列の文字数が前記表示領域の文字表示可能数を越えるときに、当該文字列で示す内容が確認できるように該表示領域に表示する文字列の表示状態を変更する表示変更手段とを備えたことを特徴とする電子装置。
【請求項２】
前記表示変更手段は、スクロール速度を変更するスクロール速度変更手段とを含むことを特徴とする請求項１に記載の電子装置。
【請求項３】
前記スクロール速度変更手段は、表示すべき文字列の全文字数に応じてスクロール速度を変化させることを特徴とする請求項２に記載の電子装置。
【請求項４】
表示すべき文字列の文字数が前記表示領域の文字表示可能数を越えるときに、当該文字列の全文字数を判定する文字判数定部を更に備え、前記スクロール速度変更手段は前記文字数判定部の判定信号に基づいてスクロール速度を変化させることを特徴とする請求項３に記載の電子装置。
【請求項５】
前記表示領域は、異なる内容を示す複数の文字列を同時に表示できるように２つ以上の表示ウィンドウを含んでいることを特徴とする請求項２から４のいずれか一項に記載の電子装置。
【請求項６】
前記表示領域は、異なる内容を示す複数の文字列を同時に表示できるように２つ以上の表示ウィンドウを含み、
前記表示変更手段が、前記複数の文字列間で先頭から文字の異同を比較する文字比較手段と、
前記文字比較手段により前記文字列間で先頭文字から所定数以上の文字が同一であると確認されたときに、先頭から一定数の文字列及び違いが確認された文字から一定数の文字を表示させる表示文字列変更手段とを含むことを特徴とする請求項１に記載の電子装置。
【請求項７】
前記同一文字の所定数は、前記表示領域に表示できる表示可能文字数に基づいて規定されていることを特徴とする請求項６に記載の電子装置。
【請求項８】
前記先頭から一定数の文字列と、前記違いが確認された文字から一定数の文字列との間の同一文字は省略して表示するようにしたこと特徴とする請求項６に記載の電子装置。
【請求項９】
表示すべき文字列の文字数が前記表示領域の文字表示可能数を越えるときに、当該文字列の全文字数を判定する文字判数定部を更に備え、前記文字比較手段は前記文字数判定部の判定信号に基づいて文字比較を開始することを特徴とする請求項６に記載の電子装置。
【発明の詳細な説明】
【０００１】
【発明の属する技術分野】
本発明は電子装置に関する。より詳細には、本発明は車載用のオーディオ装置やナビゲーション装置等のように狭い空間で使用される電子装置の表示技術に関する。
【０００２】
【従来の技術】
例えば、車載用のオーディオ装置では、ＣＤ、ＭＤ、ＣＤ−Ｒ、ＤＶＤ、ＨＤＤ等の記録媒体に記録されたオーディオデータを再生するときに、ディスプレイ上に現在再生している曲のアーティスト名やタイトル名が表示される。この種のディスプレイでは、オーディオ装置の操作状態（例えば再生中）等を表示すると共に、通常、現在再生している曲名やアーティスト名を併せて文字表示する場合が多い。
【０００３】
更に、最近のオーディオ装置では、ユーザの利便性を考えて再生中のディスク等に収録されている他の曲名が確認できるように、これらに関する情報もディスプレイの所定領域に文字で表示するものがある。収録してある他の曲も確認できれば、ユーザは気分に応じて聴きたいと思う曲を直ぐに選択できるので便利である。このように再生している曲以外の曲についても、文字表示するにはディスプレイ内により広い表示領域を確保することが好ましい。しかし、車載用オーディオ装置が設置される車内空間は極めて狭いので、ディスプレイ部分を大きくすることにも限界がある。よって、ディスクに収録されている曲の内から、例えば再生中の曲に続く３曲〜５曲を表示できるように表示領域に表示ウィンドウが形成される。この各ウィンドウでは前述した表示領域の制限から１つの曲に関する情報は１０〜１５文字程度の１行で表示するのが一般的である。
【０００４】
通常、音楽ＣＤにはアーティスト名、曲名等の文字データが音声データと共に収録されており、この文字データに基づいてアーティスト名等がディスプレイに表示される。また、近年、光ディスク記録技術が進歩しており、ユーザは自分の好みの曲を編集して光ディスクに記録できるようになっている。例えば、データ圧縮技術の進歩によりＭＰ３等によって圧縮した状態で大量の曲をＣＤ、ＤＶＤ等に記録でき、これを車載オーディオ装置にも利用できる。このようなオリジナルＣＤでも、ユーザは市販ＣＤと同様にアーティスト名、タイトル名等の情報を記録する。
【０００５】
上記のような市販にＣＤ或いはユーザのオリジナルＣＤをオーディオ装置にローディングして、ディスプレイ画面上にアーティスト名、曲名等を表示すると、表示すべき文字数が表示可能文字数を越える場合が多々ある。例えば１曲について１６文字まで表示できるディスプレイの場合で、ディスクからの情報に基づいて本来、アーティスト名と曲名とを連続して表示するものとする。アーティストがロックバンドの「Ｓｍａｓｈｉｎｇ  Ｐｕｍｐｋｉｎｓ」であり、曲名が「Ｔｏｄａｙ」であれば、図１上段に示すように「Ｓｍａｓｈｉｎｇ  Ｐｕｍｐｋｉｎｓ  Ｔｏｄａｙ」のように表示されるべきところである。
【０００６】
しかし、ディスプレイに表示可能な文字数は１６字である。よって、ディスプレイ上の当初の表示は「Ｓｍａｓｈｉｎｇ  Ｐｕｍｐｋｉｎ」（スペース１文字分を含んで１６文字）となる。そこで、ユーザは表示されている文字列を順に右へスクロールさせ図１の中段に示すような途中の状態を介して、下段に示すように最後の文字「Ｔｏｄａｙ」までを確認することになる。そして、次の曲も同じアーティストによるもので曲名が「Ｔｏｎｉｇｈｔ，Ｔｏｎｉｇｈｔ」であれば、「Ｓｍａｓｈｉｎｇ  Ｐｕｍｐｋｉｎｓ  Ｔｏｎｉｇｈｔ，Ｔｏｎｉｇｈｔ」と表示されるべきものであるが、やはり「Ｓｍａｓｈｉｎｇ  Ｐｕｍｐｋｉｎ」となってしまう。この場合も、画面をスクロールさせることで隠れている文字「ｓ  Ｔｏｎｉｇｈｔ，Ｔｏｎｉｇｈｔ」を確認することが必要となる。例えば、ディスプレイ上に表示ウィンドウが２つ設けられている場合は、どちらも当初の表示が「Ｓｍａｓｈｉｎｇ  Ｐｕｍｐｋｉｎ」となり、ユーザはこれらの違いを確認することができない。
【０００７】
すなわち、従来の表示方法によると収録曲を示す表示ウィンドウが１つの場合に表示すべき文字列が長いとその表示内容を確実に把握でない。また、ユーザの利便のために複数の表示ウィンドウを設け、選択できるようになっていている場合には各表示ウィンドウの表示が同じであれば両者を識別できない。そのため、ユーザは文字をスクロールすることでそれ以後の隠れた文字を表示させ、表示内容の確認や曲を識別するのに必要な文字を確認してから選択の動作を行っていた。表示ウィンドウの表示を見て曲の選択する場合、２曲を区別するというのであれば比較的短時間で行える。しかし、例えば表示ウィンドウが５個（５行）設けられ、ここに表示されている５曲のアーティストが全て同じであるという時には、スクロール作業に長時間を要するのでユーザは煩わしさを感じることになる。
【０００８】
上記のようなディスプレイ表示に関連しては、本件出願人は特許文献１に係る特許出願で関連の技術を提案している。この特許文献１では、例えば再生中のディスクが１人のアーティストのヒット集であるような場合には、アーティスト名を重複して表示しないようにした技術を開示している。この技術によると、限られた表示範囲に同じような文字が繰返して表示されることが制限できるので、見た目がスッキリして、ユーザが利用し易いオーディオ装置用の表示装置となる。
【０００９】
【特許文献１】
特開２００２−２９８５６２号  公報
【００１０】
【発明が解決しようとする課題】
しかしながら、上記特許文献１で開示する技術は、同じような文字が表示されることによるディスプレイの見難さを解消することが主な目的である。この技術では、表示すべき文字数が長くなるために文字列で示そうとする内容が確認できない、或いは前後の曲を識別できなくなるという問題までは解決できていない。本発明の主な目的は、文字列に含まれる文字数が長いために表示領域にその全て表示できず、そのために識別が難しくなっている文字列を容易に確認できるように表示させる機能を備えた電子装置を提供することである。
【００１１】
【課題を解決するための手段】
上記目的は、データに基づいて、予め設定した表示領域に文字を表示させる制御手段と、表示すべき文字列の文字数が前記表示領域の文字表示可能数を越えるときに、当該文字列で示す内容が確認できるように該表示領域に表示する文字列の表示状態を変更する表示変更手段とを備えた電子装置により達成される。本発明によると、表示領域の表示可能数を越えるような文字列を表示しようとするときに、表示変更手段は表示内容がより確認し易い形態に変更して表示領域に表示するので、ユーザはその文字列で示す内容を容易に確認できるようになる。
【００１２】
ここで、前記表示変更手段は、スクロール速度を変更するスクロール速度変更手段とにより形成することができる。そして、前記スクロール速度変更手段は、表示すべき文字列の全文字数に応じてスクロール速度を変更できるように設定することが望ましい。このようにすると、文字数が多くなるとスクロール速度が速くなるので表示内容を素早く確認できる。なお、表示すべき文字列の文字数が前記表示領域の文字表示可能数を越えるときに、当該文字列の全文字数を判定する文字判数定部を更に備え前記スクロール速度変更手段が前記文字数判定部の判定信号に基づいてスクロール速度を変化させるようにしてもよい。
【００１３】
また、前記表示変更手段は、前記表示領域に表示している文字列を表示されていない残りの異なる文字列に瞬時に切換える表示切換手段として形成することができる。この表示切換手段は、先頭文字を含んだ文字列から該文字列に続く残りの文字列に瞬時に切換えを行って、最終文字を含む文字列までを前記表示領域に順に表示させることが好ましい。このように構成すれば、表示切換により全文字を簡単に確認できるようになる。
【００１４】
更に、最初の先頭文字を含む文字列から最後の最終文字を含む文字列までの切換え表示を、最初から繰返して行うように設定しておくのがより望ましい。この場合には、最初の表示から繰返されるので、ユーザが一度、表示を見落としたような場合にも文字列で表す内容を確実に確認できるようになる。なお、前記表示領域は、異なる内容を示す複数の文字列を同時に表示できるように２つ以上の表示ウィンドウを含んでいてもよい。なお、表示すべき文字列の文字数が前記表示領域の文字表示可能数を越えるときに、当該文字列の全文字数を判定する文字判数定部を更に備えて、前記表示切換手段は前記文字数判定部の判定信号に基づいて切換え表示する回数を設定するようにしてもよい。
【００１５】
更に、前記表示領域は、異なる内容を示す複数の文字列を同時に表示できるように２つ以上の表示ウィンドウを含み、前記表示変更手段は、複数の文字列間で先頭から文字の異同を比較する文字比較手段と、前記文字比較手段により前記文字列間で先頭文字から所定数以上の文字が同一であると確認されたときに、先頭から一定数の文字列及び違いが確認された文字から一定数の文字を前記表示領域に表示させる表示文字列変更手段とを含むことができる。この場合、表示領域の後半部分には異なる文字を表示させることができるので、前後の文字列が似ている場合でもその違いを最初から確認できるようになる。
【００１６】
ここで前記同一文字の所定数は、前記表示領域に表示できる全文字数に基づいて規定することができる。また、前記先頭から一定数の文字列と、前記違いが確認された文字から一定数の文字列との間の同一文字は省略して表示してもよい。この場合も、表示すべき文字列の文字数が前記表示領域の文字表示可能数を越えるときに、当該文字列の全文字数を判定する文字判数定部を更に備えて、前記文字比較手段は前記文字数判定部の判定信号に基づいて文字比較を開始するようにしてもよい。前述したような構成を一部として含んでいる車載用のオーディオ装置やナビゲーション装置等は、狭い空間でも必要な文字を表示できる好ましい電子機器として提供できる。
【００１７】
【発明の実施の形態】
以下、本発明の一実施形態を図面に基づいて説明する。
（第１実施形態）
図２は、本発明の第１の実施形態を示す図である。第１の実施形態は、本発明の電子装置の一形態であるオーディオ装置のブロック図である。このオーディオ装置は、ＣＤ、ＭＤ、ＤＶＤ等のディスク１を再生する。同図においてディスク１はプレーヤ２にローディングされ、モータ３によって回転する。ディスクの放射方向の軸線上で移動する光ピックアップ４によって記録されたＲＦデータが読み出される。これらのモータ３及び光ピックアップ４は、サーボドライバ１０によって制御されている。このサーボドライバ１０は、オーディオディスクプレーヤの全体を制御するシステムコントローラ１１によって制御され、ディスク１の再生開始、停止、ディスク１に記録されている各種データの読み出し等が行えるようになっている。
【００１８】
光ピックアップ４からの信号はＲＦアンプ５で増幅され、ディスク１に収録されている曲のオーディオデータ７と収録曲に関する文字データ８とを分離してデコードすることができるシステムデコーダ６に供給される。このシステムデコーダ６は、上記システムコントローラ１１により制御されている。ここでデコードされたオーディオデータ７は信号処理がなされてスピーカ９から出力される。
【００１９】
文字データ８には収録されている曲のアーティスト名や曲名等が含まれている。これらはデータ格納部１２に読み込まれる。すなわち、このデータ格納部１２において、収録している曲のアーティスト名１３や曲名１４が読み込まれ、また演奏時間１５や必要に応じてこのディスクの収録された年月、ジャンル等のその他の情報１６が各々読み込まれる。データ格納部１２は、例えばＤＲＡＭなどのメモリで構成されている。
【００２０】
上記データ格納部１２からアーティスト名１３及び曲名１４に関するデータは文字数判定部２０に供給される。この文字数判定部２０は、ディスプレイ２２の表示可能文字数（例えば１６文字）と、データ格納部１２から提供されたデータを比較してディスプレイ２２に一度に表示できる文字数であるかを判定している。前述した「Ｓｍａｓｈｉｎｇ  Ｐｕｍｐｋｉｎｓ  Ｔｏｄａｙ」の場合は計２３文字である。文字数判定部２０は「ｓ  Ｔｏｄａｙ」の７文字分オーバーすると判定する。また、「Ｓｍａｓｈｉｎｇ  Ｐｕｍｐｋｉｎｓ  Ｔｏｎｉｇｈｔ，Ｔｏｎｉｇｈｔ」の場合は、計３３文字で１７文字分オーバーすると判定する。この判定信号はスクロール速度変更部２８に供給される。なお、上記システムコントローラ１１、文字数判定部２０及びスクロール速度変更部２８は、例えばプログラムを実行することで所望の機能を実現するＣＰＵなどの演算素子で実現することができる。図２の破線によるブロックは、このＣＰＵを意味している。
【００２１】
スクロール速度変更部２８は、文字数判定部２０の判定に基づき、ディスプレイ２２の文字表示領域を越える文字に応じてスクロール速度を変更する速度変更信号を表示制御部２１に供給する。このスクロール速度変更部２８は、システムコントローラ１１からの指示を待って表示制御部２１に上記速度変更信号を供給するようになっている。このスクロール速度変更部２８から供給される速度変更信号に基づくスクロール速度の変更例については後に図を示して説明する。
【００２２】
システムコントローラ１１にはこの装置をユーザの操作によって行うための操作信号入力部２５が接続されている。この操作信号入力部２５には、本装置に設けられたキー、リモコンキー、タッチパネル、更には音声認識装置を含めることができる。特にこの操作信号入力部２５には、ユーザによって表示文字をスクロールできるようにスクロール手段として機能するスクロールキー２６が設けられている。なお、このスクロールキー２６としては、プレーヤ等に設けられたスクロール切換のためのキーやリモコンの表示キーの他、タッチパネルや音声認識装置を採用してもよい。
【００２３】
コントローラ１１は、ユーザがスクロールキー２６を操作して、ディスプレイ２２に表示している文字列をスクロールしていることを確認すると、スクロール速を変更するようにスクロール速度変更部２８に所定の信号を供給する。このときに、スクロール速度変更部２８はディスプレイ２２に表示すべき文字数が多いほどスクロール速度を上げる旨の信号を表示制御部２１に供給する。
【００２４】
以上のオーディオ装置を要約すると、このオーディオ装置は、データに基づいて、予め設定した表示領域に文字を表示させる制御手段１１と、表示すべき文字列の文字数が前記表示領域の文字表示可能数を越えるときに、当該文字列で示す内容が確認できるように該表示領域に表示する文字列の表示状態を変更する表示変更手段２０、２８とを備えた電子装置である。
【００２５】
このときに実行されるフローチャートの一例を示したのが図３である。ユーザは、ディスプレイ上に表示された一部の文字列では全ての文字を確認できないときに、スクロールキー２６を操作する。よって、スクロールキー２６が操作されたことが確認されると（Ｓ１１）、スクロール速度変更部２８は文字数判定部２０からの判定信号に基づいて（Ｓ１２）、表示すべき文字列の全文字数に応じたスクロール速度に変更する（Ｓ１３）。スクロール速度変更部２８のスクロール速度変更信号は表示制御部２１に供給される（Ｓ１４）。表示制御部２１はディスプレイ２２で表示している文字列のスクロール速度を速める制御を実行する（Ｓ１５）。よって、ユーザは従来よりも短時間で文字列の隠れた部分を見ることができるので、アーティスト名及び曲名を確認して曲の選択等を行うことができる。
【００２６】
なお、スクロール速度変更部２８がスクロール速度を変更する方法は種々考えられる。例えば、スクロール速度変更部２８は、予め定めた文字数に応じたスクロール速度を設定する。この場合、例えば、スクロール速度変更部２８は、文字数とスクロール速度との関係を記述するテーブルを有し、表示すべき文字数に対応したスクロール速度をテーブルから読み出して表示制御部２１に出力する。この場合、１文字ごとにスクロール速度を設定してもよいし、１つのスクロール速度に対して複数の文字数を割り当てるように設定してもよい。また、別の方法として、例えば５秒以内に全ての文字を表示領域内に表示させるという条件をスクロール速度変更部２８に設定してもよい。
【００２７】
スクロール速度を変更したときの様子をより理解し易いように、模式的に示したのが図４である。図４は、ディスプレイ２２の文字表示領域２２１を拡大して示した図である。この文字表示領域２２１は３行の表示ウィンドウを備えた場合を例示している。各行で異なる曲に関する文字列を表示している。第１行目では、「Ｓｍａｓｈｉｎｇ  Ｐｕｍｐｋｉｎｓ  Ｔｏｄａｙ」、第２行目では「Ｓｍａｓｈｉｎｇ  Ｐｕｍｐｋｉｎｓ  Ｔｏｎｉｇｈｔ，Ｔｏｎｉｇｈｔ」、第３行目では「Ｓｍａｓｈｉｎｇ  Ｐｕｍｐｋｉｎｓ  Ｂｕｌｌｅｔ  ｗｉｔｈ  Ｂｕｔｔｅｒｆｉｙ  Ｗｉｎｇｓ」を表示しようとしている。しかし、文字数が多いので当初の表示はいずれも「Ｓｍａｓｈｉｎｇ  Ｐｕｍｐｋｉｎ」となる。
【００２８】
しかし、本実施形態によると、ユーザが第２行をスクロールした場合には文字数が１行目よりも文字が多いのでより速くスクロールされる。更に、３行目をスクロールした場合には文字数が更に多いので２行目の場合よりも速くスクロールされる。よって、ユーザは表示すべき文字が多くなっても表示内容を直ぐに確認できることになる。なお、本実施形態では、システムコントローラ１１、文字数判定部２０、表示制御部２１、スクロールキー２６及びスクロール速度変更部２８により、文字列の表示状態を変更する表示変更手段が形成されている。
【００２９】
（第２実施形態）
図５は、第２の実施形態について示した図である。図５は第１の実施形態の場合と同様に電子装置の一形態であるオーディオ装置のブロック図である。この図５では、図２で示した構成と同様の部位には、同じ符号を付している。本装置では、特に表示切換部３８を備えている。前述した第１の実施形態では、文字数が多いときにスクロール速度を上げることにより全文字が早く確認できるようにしていた。本実施形態の場合は、表示切換部３８が表示領域２２１に表示する文字例を、表示されていない残りの文字列が順に表示されるように切換えを行う。これにより全ての文字が確認できるように表示する。つまり、図５に示すオーディオ装置は、データに基づいて、予め設定した表示領域に文字を表示させる制御手段１１と、表示すべき文字列の文字数が前記表示領域の文字表示可能数を越えるときに、当該文字列で示す内容が確認できるように該表示領域に表示する文字列の表示状態を変更する表示変更手段２０、３８とを備えた電子装置である。
【００３０】
このときに実行されるフローチャートの一例を示したのが図６である。文字数判定部２０で表示すべき文字列が表示可能文字数を越えたと判定した場合に（Ｓ２１）、その判定信号は表示切換部３８に供給される（Ｓ２２）。表示切換部３８は表示すべき文字列の全文字数に応じて切換え表示の回数を設定する（Ｓ２３）。この表示切換部３８の表示切換信号は表示制御部２１に供給される（Ｓ２４）。表示制御部２１はディスプレイ２２上に隠れていた残りの文字列を設定回数分に切換えて順に表示する（Ｓ２５）。よって、ユーザは従来よりも短時間で最初の文字列に続く、隠れていた部分の文字列を順に見ることができるので、アーティスト名及び曲名を確認して曲の選択等を行うことができる。
【００３１】
図７は、表示切換部３８により表示領域２２１に表される文字例が順に切換えられる様子を示した図である。先に説明した図４の場合と同様に、表示ウィンドウが３行有り、各行で異なる曲に関する内容が表示される。図７（Ａ）は１行目について示しており、「Ｓｍａｓｈｉｎｇ  Ｐｕｍｐｋｉｎｓ  Ｔｏｄａｙ」を表示しようとしている。この場合には表示が一回切換えられて「Ｓｍａｓｈｉｎｇ  Ｐｕｍｐｋｉｎ」の表示に続いて、「ｓ  Ｔｏｄａｙ」の表示が表示領域２２１に示される。このように１６文字毎に表示を瞬時に切換えて残りの文字列を示すことによりユーザは素早く、その内容を確認できるようになる。
【００３２】
同様に図７（Ｂ）は２行目での表示が「Ｓｍａｓｈｉｎｇ  ＰｕｍｐｋｉｎｓＴｏｎｉｇｈｔ，Ｔｏｎｉｇｈｔ」である場合、同様に図７（Ｃ）は３行目での表示が「Ｓｍａｓｈｉｎｇ  Ｐｕｍｐｋｉｎｓ  Ｂｕｌｌｅｔ  ｗｉｔｈ  Ｂｕｔｔｅｒｆｉｙ  Ｗｉｎｇｓ」である場合を示している。これらの場合は、表示を１回切換えても未だ未表示の文字が残るので、２回の表示切換えが実行される。なお、本例の場合は、最後の文字を含む文字列を示した後に、再び最初の文字列を表示するようにして繰返しの表示を行えば、ユーザが一度、表示を見落としたような場合でも表示内容を確実に把握できるようになる。
【００３３】
（第３実施形態）
図８は、第３の実施形態について示した図である。この図８も第１及び第２の実施形態の場合と同様に、電子装置の一形態であるオーディオ装置を示すブロック図である。この実施形態では、文字数判定部２０で文字数が表示領域の表示可能文字数を越えていると判定された場合に、この判定信号を文字比較部４０に供給する。この判定信号を受けた文字比較部４０は、表示領域で表示する文字列間での文字の異同を比較する。この文字比較部４０は、表示領域で表示する各文字列の先頭文字から異同を比較する。この比較では、例えば表示可能文字数（本例では１６文字）以上、同一文字が並んでいるかを確認すると、更にその後はどの文字から異なるかを確認する。この文字比較部４０による比較結果の信号は、表示文字列変更部４８に供給される。
【００３４】
表示文列字変更部４８は、上記信号を受けると例えば先頭文字から一定数の文字（ここでは５文字）を表示させ、途中文字分を省略して、後半は最初に異なる文字から表示を開始する。この点を理解し易い様に示したのが図９である。この図９も先に例示したＳｍａｓｈｉｎｇ  Ｐｕｍｐｋｉｎｓの曲を例にしている。図９（Ａ）は曲名「Ｔｏｄａｙ」、（Ｂ）は曲名「Ｔｏｎｉｇｈｔ，Ｔｏｎｉｇｈｔ」、（Ｃ）は曲名「Ｂｕｌｌｅｔ  ｗｉｔｈ  Ｂｕｔｔｅｒｆｉｙ  Ｗｉｎｇｓ」の場合を示している。この図９から確認できるように、アーティストを示唆する最初の５文字、及び後段で曲を識別するポイントなる５から７文字が表示される。よって、ユーザは一目でアーティストと共に各行の曲を識別できるので、選曲を速やかに行える。省略した中間部は例えば＊等の記号を用いて省略していることをユーザに明示することが望ましい。
【００３５】
なお、図９で示しているのは、表示領域２２１に同時に表示される１〜３行の全てで、同一文字という条件で比較した場合である。よって、１行目と２行目の後半の頭が「Ｔｏ・・」であるが、３行目が「Ｂｕ」であるので文字が異なる判断とされている。仮に隣接する１、２行間で比較したとすれば、第１行は「ｄａｙ」、第２行は「ｎｉｇｈｔ，Ｔ」の表示となる。
【００３６】
図１０は、図９に示したオーディオ装置でディスプレイ２２に文字表示する際に実行されるフローチャートの一例を示した図である。本フローチャートは、文字数判定部２０により、表示可能な１６文字を越えていると判定された場合に実行される。文字比較部４０は３行に表示すべき文字列の先頭から文字を順次取得し（Ｓ３１）、３行間で同一か否かを比較する（Ｓ３２）。次のステップ３３では、表示領域で可能な文字数１６字を越えて同一であるか、否かが比較される。
【００３７】
ステップ３３で、同一ではないと判断されるとそのまま各文字列が表示される（Ｓ３５）。なお、このステップ３５では、前述した第１あるいは第２の実施形態による表示を実行するように設定しておくことが望ましい。一方、ステップ３３で１６字を越えて同一であると判断されると、最初に異なる文字が探される（Ｓ３４）。このステップ３４の比較結果は、表示文字列変更部４８へ供給される。表示文字列変更部４８は先頭から５文字、途中４文字分を省略記号で、その後は異なる文字以後の文字を合計１６文字以内とした文字列変更信号を表示制御部２１に供給する。表示制御部２１はこの信号に基づいて図９に例示したような同一部分を省略した文字列をディスプレイ上に表示させる（Ｓ３６）。本実施形態の場合は、当初表示した文字列によってユーザがアーティスト及び曲名を知ることができるので、表示すべき文字が長くなる場合でも、ユーザは直ぐに選曲を行う等の動作を行うことができる。
【００３８】
以上の通り、図８に示すオーディオ装置は、データに基づいて、予め設定した表示領域に文字を表示させる制御手段１１と、表示すべき文字列の文字数が前記表示領域の文字表示可能数を越えるときに、当該文字列で示す内容が確認できるように該表示領域に表示する文字列の表示状態を変更する表示変更手段２０、４０、４８とを備えた電子装置である。
【００３９】
（その他の実施形態）
その他の実施形態として、前記第１及び第３の実施形態を組み合わせてもよい。例えば、第３の実施形態において特定された同一文字をスクロールで表示する場合、スクロール速度を相対的に早く設定し、それ以外の異なる文字を表示する場合には、スクロール速度を相対的に遅く設定する。異なる文字の表示は相対的に遅い速度で行われるので、ユーザはタイトルを容易に特定することができる。
【００４０】
前述した複数の実施形態は、ディスク１を備えた電子装置の一形態であるオーディオ装置であったが、本発明はこれらに限定されるものではない。本発明の電子装置の一形態であるオーディオ装置は、少なくとも曲やその属性情報（アーティスト名、曲名、演奏時間など）などのデータを格納する記録手段（媒体）と、これを表示する手段とを備えているものである。この記録手段はディスク状の光学的記録媒体以外に、ディスク上に磁気的に情報を記録する記録媒体をも含む。また、ディスク以外にも半導体メモリであってもよい。また、本発明は音源が外部から供給される構成の電子装置を含む。つまり、電子装置は外部の音源とのインタフェースを有し、音源から曲データを取り込み、内部の記憶手段に保持する構成であってもよい。このようにして取り込んだ曲のタイトルをユーザが変更した場合において、複数の曲に類似するタイトルを付けた場合に、本発明は特に有効である。勿論、本発明の電子装置は、内部に固定的にディスク状の記録媒体を含む構成であってもよいし、ディスク状の記録媒体は取り外し可能な構成であってもよい。
【００４１】
更に、本発明の電子装置は、データに基づいて、予め設定した表示領域に文字を表示させる制御手段と、表示すべき文字列の文字数が前記表示領域の文字表示可能数を越えるときに、当該文字列で示す内容が確認できるように該表示領域に表示する文字列の表示状態を変更する表示変更手段とを備えた構成を含む装置の全てを含むのであって、上記オーディオ装置以外にも、例えばこれらの手段がナビゲーション装置に組み込まれた形態の電子装置であってもよい。特に、本発明は表示可能な情報量が制限されている電子装置において、格別の効果を奏する。
【００４２】
また、本発明が対象とするデータは曲データに限定されるものではなく、原理的には様々なデータを曲データと同様に扱うことができる。例えば、ファイルやフォルダのタイトルを曲データのタイトルと同様に扱うこともできる。
【００４３】
以上本発明の好ましい実施形態について詳述したが、本発明は係る特定の実施形態に限定されるものではなく、特許請求の範囲に記載された本発明の要旨の範囲内において、上記実施形態を種々に変形・変更した構成や、他の実施形態をも含むものである。
【００４４】
【発明の効果】
以上詳述したところから明らかなように、本発明によれば表示領域の表示可能数を越えるような文字列を表示するときに、表示内容を確認できる様に文字の表示状態を変更するので、ユーザはその内容を早く確認できるようになる。
【図面の簡単な説明】
【図１】従来装置でディスプレイ上に長い文字を表示してスクロールする場合を説明するために示した図である。
【図２】第１の実施形態に係るオーディオ装置のブロック図である。
【図３】第１の実施形態に係る装置で実行されるフローチャートの一例を示した図である。
【図４】第１の実施形態のディスプレイの文字表示領域を拡大して示した図である。
【図５】第２の実施形態について示した図である。
【図６】第２の実施形態に係る装置で実行されるフローチャートの一例を示した図である。
【図７】第２の実施形態で表示切換部による文字例の切換えの様子を示した図である。
【図８】第３の実施形態について示した図である。
【図９】第３の実施形態で表示文字列変更部による変更の様子を示した図である。
【図１０】第２の実施形態に係る装置で実行されるフローチャートの一例を示した図である。
【符号の説明】
１１          システムコントローラ
１２          データ格納部
２０          文字数判定部
２１          表示制御部
２２          ディスプレイ
２６          スクロールキー
２８          スクロール速度変更部
３８          表示切換部
４０          文字比較部
４８          表示文字列変更部
２２１        文字表示領域
【図１】
2004341074.tif 000003
【図２】
2004341074.tif 000004
【図３】
2004341074.tif 000005
【図４】
2004341074.tif 000006
【図５】
2004341074.tif 000007
【図６】
2004341074.tif 000008
【図７】
2004341074.tif 000009
【図８】
2004341074.tif 000010
【図９】
2004341074.tif 000011
【図１０】
2004341074.tif 000012